(57)【要約】【課題】ＥＬ素子が光源として用いられた画像読み取り装置であって、より効率よく発光できる光源を備えた画像読み取り装置を提供する。【解決手段】光源は、有機ＥＬ素子２０ａ，２０ｂを含む複数のＥＬ素子からなり、原稿Ｐに光を照射する。受光素子２６は、原稿Ｐで反射した光を受光する。有機ＥＬ素子２０ａ，２０ｂはそれぞれ、光を出射する発光層と、平面視した状態において、発光層よりも大きい形状を有する透明基板と、を含む。有機ＥＬ素子２０ｂは、有機ＥＬ素子２０ｂを平面視した状態において透明基板が発光部からはみ出して形成された非発光領域を、有機ＥＬ素子２０ａが出射した光が通過するように、配置されている。【選択図】図３
2009094960.tif 000002
【特許請求の範囲】
【請求項１】
第１のＥＬ素子及び第２のＥＬ素子を含む複数のＥＬ素子からなり、原稿に光を照射する光源と、
前記原稿で反射した光を受光する受光素子と、
を備え、
前記第１のＥＬ素子及び前記第２のＥＬ素子はそれぞれ、
光を出射する発光部と、
平面視した状態において、前記発光部よりも大きな形状を有する透明基板と、
を含み、
前記第１のＥＬ素子は、該第１のＥＬ素子を平面視した状態において前記透明基板が前記発光部からはみ出して形成された非発光部を、前記第２のＥＬ素子が出射した光が通過するように、配置されていること、
を特徴とする画像読み取り装置。
【請求項２】
前記第１のＥＬ素子の透明基板と前記第２のＥＬ素子の透明基板とのなす角度は、１８０度より小さいこと、
を特徴とする請求項１に記載の画像読み取り装置。
【請求項３】
前記原稿において反射した光は、前記第１のＥＬ素子の非発光部及び前記第２のＥＬ素子の非発光部を通過して、前記受光素子に入射すること、
を特徴とする請求項２に記載の画像読み取り装置。
【請求項４】
前記第１のＥＬ素子の非発光部は、平面視した状態において、前記第２のＥＬ素子の透明基板に重なっていること、
を特徴とする請求項１ないし請求項３のいずれかに記載の画像読み取り装置。
【請求項５】
前記第１のＥＬ素子の発光部は、
２枚の透明電極と、
前記２枚の透明電極の間に配置された発光層と、
を有し、
前記第１のＥＬ素子は、前記第２のＥＬ素子の上に重ねて配置されていること、
を特徴とする請求項１に記載の画像読み取り装置。
【請求項６】
前記ＥＬ素子は、
前記発光部を覆う封止部を、
更に含むこと、
を特徴とする請求項１ないし請求項５のいずれかに記載の画像読み取り装置。
【発明の詳細な説明】
【技術分野】
【０００１】
本発明は、画像読み取り装置に関し、より特定的には、原稿に光を照射し、原稿において反射した光を受光することにより、原稿の画像を読み取る画像読み取り装置に関する。
【背景技術】
【０００２】
画像読み取り装置では、光源により原稿に光を照射し、原稿から反射してきた光を受光素子により受光することにより、原稿の画像を読み取っている。このような画像読み取り装置における光源としては、一般的には、蛍光灯が用いられている。蛍光灯は、十分な強度の光を得られる等の利点を有する一方で、インバータが必要となる欠点も有する。具体的には、インバータを蛍光灯と共に画像読み取り装置のスライダーに搭載した場合、スライダーの重量が大きくなってしまうので、スライダーを駆動するためのモーターに大きな負荷がかかってしまうという問題がある。
【０００３】
そこで、近年、有機エレクトロルミネッセンス素子（以下、有機ＥＬ素子と称す）の開発が進んでおり、有機ＥＬ素子を画像読み取り装置の光源として利用することが提案されている（例えば、特許文献１参照）。有機ＥＬ素子は、高い発光効率を有し、ムラなく発光でき、更に、低発熱である等の利点を有する。
【０００４】
有機ＥＬ素子が光源として用いられた画像読み取り装置において、十分な強度の光を得るためには、例えば、有機ＥＬ素子の駆動電流を大きくすることや、有機ＥＬ素子の面積を大きくすること等が挙げられる。しかしながら、有機ＥＬ素子の駆動電流を大きくすると、有機ＥＬ素子の寿命が短くなってしまうという問題がある。また、有機ＥＬ素子では、発光層となる有機材を均一に形成する必要があるので、有機ＥＬ素子の大面積化は困難である。
【０００５】
そこで、複数の有機ＥＬ素子を並置することが考えられる。これにより、光源の大面積化を図ることができる。しかしながら、有機ＥＬ素子を並置した場合、発光に寄与しない領域が発生するという問題がある。以下に、図面を参照しながら説明する。図１０（ａ）は、有機ＥＬ素子５０の断面構造図であり、図１０（ｂ）は、複数並置された有機ＥＬ素子５０の断面構造図である。
【０００６】
有機ＥＬ素子５０は、図１０（ａ）に示すように、透明基板５２、透明電極５４、発光層５６、背面電極５８及び封止部材６０により構成されている。透明基板５２は、ガラス又は樹脂からなる透明の基板である。透明電極５４は、透明基板５２上に形成され、例えば、ＩＴＯ（Ｉｎｄｉｕｍ  Ｔｉｎ  Ｏｘｉｄｅ）からなる透明な電極である。発光層５６は、透明電極５４上に形成され、蛍光体を塗布又は混粒したプラスチック（又はセラミック）層である。背面電極５８は、発光層５６上に形成され、例えば、金属から成る電極である。
【０００７】
前記のように構成された有機ＥＬ素子５０において、透明電極５４と背面電極５８との間に交流電圧が印加される。これにより、発光層５６が発光し、透明基板５２から光が出射する。なお、有機ＥＬ素子５０の構成及び発光原理については、周知であるので、これ以上の説明を省略する。
【０００８】
ところで、発光層５６は、有機材料からなっているので、空気中の水分により劣化し易いという問題を有する。そこで、図１０（ａ）に示すように、有機ＥＬ素子５０では、透明電極５４、発光層５６及び背面電極５８は、樹脂等からなる封止部材６０によりその表面が覆われている。これにより、発光層５６が空気に触れないようにしている。
【０００９】
しかしながら、封止部材６０が設けられた有機ＥＬ素子５０は、並置された場合に発光に寄与しない領域が発生するという問題がある。より詳細には、封止部材６０は、図１０（ａ）に示すように、透明電極５４、発光層５６及び背面電極５８の側面を覆っている。そのため、透明基板５２は、平面視した状態において、透明電極５４、発光層５６及び背面電極５８よりも大きく形成される必要がある。これにより、図１０（ａ）に示すように、発光に寄与しない額縁部Ａが有機ＥＬ素子５０に形成されてしまう。このような額縁部Ａを有する有機ＥＬ素子５０が並置された場合には、図１０（ｂ）に示すように、互いに隣り合う有機ＥＬ素子５０の透明電極５４、発光層５６及び背面電極５８の間に、額縁部Ａが位置してしまう。その結果、複数の有機ＥＬ素子５０が並置された光源において発光に寄与しない領域が発生してしまう。
【特許文献１】特開２０００−１１５４７０号公報
【発明の開示】
【発明が解決しようとする課題】
【００１０】
そこで、本発明の目的は、ＥＬ素子が光源として用いられた画像読み取り装置であって、より効率よく発光できる光源を備えた画像読み取り装置を提供することである。
【課題を解決するための手段】
【００１１】
本発明は、第１のＥＬ素子及び第２のＥＬ素子を含む複数のＥＬ素子からなり、原稿に光を照射する光源と、前記原稿で反射した光を受光する受光素子と、備え、前記第１のＥＬ素子及び前記第２のＥＬ素子はそれぞれ、光を出射する発光部と、平面視した状態において、前記発光部よりも大きい形状を有する透明基板と、を含み、前記第１のＥＬ素子は、該第１のＥＬ素子を平面視した状態において前記透明基板が前記発光部からはみ出している非発光部を、前記第２のＥＬ素子が出射した光が通過するように、配置されていることを特徴とする。
【００１２】
本発明によれば、前記第１のＥＬ素子は、該第１のＥＬ素子を平面視した状態において前記透明基板が前記発光部からはみ出している非発光部を、前記第２のＥＬ素子が出射した光が通過するように、配置されている。これにより、複数のＥＬ素子が光源として用いられた画像読み取り装置において、発光に寄与しない第１のＥＬ素子の非発光部からも光が出射するようになる。その結果、ＥＬ素子が光源として用いられた画像読み取り装置であって、より効率よく発光できる光源を備えた画像読み取り装置を提供することができる。
【００１３】
本発明において、前記第１のＥＬ素子の透明基板と前記第２のＥＬ素子の透明基板とのなす角度は、１８０度より小さくてもよい。
【００１４】
本発明において、前記原稿において反射した光は、前記第１のＥＬ素子の非発光部及び前記第２のＥＬ素子の非発光部を通過して、前記受光素子に入射してもよい。
【００１５】
本発明において、前記第１のＥＬ素子の非発光部は、平面視した状態において、前記第２のＥＬ素子の透明基板に重なっていてもよい。
【００１６】
本発明において、前記第１のＥＬ素子の発光部は、２枚の透明電極と、前記２枚の透明電極の間に配置された発光層と、を有し、前記第１のＥＬ素子は、前記第２のＥＬ素子の上に重ねて配置されていてもよい。
【００１７】
本発明において、前記ＥＬ素子は、前記発光部を覆う封止部を、更に含んでいてもよい。
【発明を実施するための最良の形態】
【００１８】
（第１の実施形態）
以下に、本発明の第１の実施形態に係る画像読み取り装置１０ａについて、図面を参照しながら説明する。図１は、第１の実施形態に係る画像読み取り装置１０ａの断面構造図である。
【００１９】
画像読み取り装置１０ａは、原稿Ｐに光を照射して、原稿Ｐから反射してきた光を受光することにより、原稿Ｐの画像を読み取る装置であって、画像読み取り装置本体１２、プラテンガラス１４及びスライダー１６を備える。該画像読み取り装置１０ａは、所謂、コンタクトイメージセンサ方式と呼ばれる読み取り方式が採用された装置である。
【００２０】
画像読み取り装置本体１２は、画像読み取り装置１０ａの筐体であり、その内部にスライダー１６を格納している。更に、画像読み取り装置本体１２の上面は、開口しており、開口にはプラテンガラス１４が嵌め込まれている。プラテンガラス１４は、透明なガラス又は樹脂により作製され、その上面に原稿Ｐが載置される。
【００２１】
スライダー１６は、図１の矢印の方向に移動して、原稿Ｐの画像を読み取り、スライダー本体１８、有機ＥＬ素子２０，２２、等倍レンズ２４及び受光素子２６を含む。スライダー本体１８は、スライダー１６の筐体であり、その内部に有機ＥＬ素子２０，２２、等倍レンズ２４及び受光素子２６を格納している。更に、スライダー本体１８の上面は開口している。
【００２２】
有機ＥＬ素子２０，２２は、電圧が印加されることにより発光する素子であり、原稿Ｐに対して光を照射する光源Ｌとして機能する。有機ＥＬ素子２２は、有機ＥＬ素子２０上に重ねて配置される。有機ＥＬ素子２０，２２の構成については、後述する。
【００２３】
有機ＥＬ素子２０，２２から出射した光は、プラテンガラス１４を通過し、原稿Ｐを照射する。更に、有機ＥＬ素子２０，２２から出射した光は、原稿Ｐにおいて反射し、等倍レンズ２４に入射する。等倍レンズ２４は、原稿Ｐにおいて反射した光を、受光素子２６の受光面上に等倍で結像させる。受光素子２６は、例えばＣＣＤ（Ｃｈａｒｇｅ  Ｃｏｕｐｌｅｄ  Ｄｅｖｉｃｅｓ）素子により構成され、入射してきた光の強度に応じた電気信号を生成する素子である。本実施形態では、受光素子２６は、原稿Ｐで反射した光を受光し、該光の強度に応じた電気信号を生成する。以上に示す構成により、画像読み取り装置１０ａは、原稿Ｐの画像を読み取る。
【００２４】
次に、有機ＥＬ素子２０，２２について、図２を参照しながら説明する。図２（ａ）は、有機ＥＬ素子２０，２２の断面構造図であり、図２（ｂ）は、有機ＥＬ素子２０，２２をこれらの主面の法線方向から見た（以下、平面視と称す）図であり、図２（ｃ）は、有機ＥＬ素子２０，２２が出射する光の強度を示したグラフである。図２（ｃ）において、縦軸は、光の強度を示し、横軸は、有機ＥＬ素子２０，２２の位置を示している。以下、図２（ａ）において、有機ＥＬ素子２０，２２の主面に対する法線方向の上方向を単に上方向と定義し、有機ＥＬ素子２０，２２の主面に対する法線方向の下方向を単に下方向と定義する。
【００２５】
まず、有機ＥＬ素子２０について説明する。有機ＥＬ素子２０は、透明基板３２、透明電極３４、発光層３６、背面電極３８及び封止部材３９により構成されている。透明基板３２は、ガラス又は樹脂からなる透明の基板である。透明電極３４は、透明基板３２上に形成され、例えば、ＩＴＯ（Ｉｎｄｉｕｍ  Ｔｉｎ  Ｏｘｉｄｅ）からなる透明な電極である。発光層３６は、透明電極３４上に形成され、蛍光体を塗布又は混粒したプラスチック（又はセラミック）層である。背面電極３８は、発光層３６上に形成され、例えば、光を反射する金属から成る電極である。以上のように、発光層３６は、透明電極３４と背面電極３８とに挟まれている。透明電極３４、発光層３６及び背面電極３８は、発光部Ｂを構成する。
【００２６】
更に、発光層３６が、空気中の水分により劣化することを防止するために、樹脂からなる封止部材３９は、透明電極３４、発光層３６及び背面電極３８を覆っている。これにより、発光層３６が空気に触れないようにしている。
【００２７】
ここで、透明電極３４、発光層３６及び背面電極３８が封止部材３９により覆われているので、図２（ｂ）に示すように、透明基板３２は、平面視した状態において、発光部Ｂ（透明電極３４、発光層３６及び背面電極３８）よりも大きく形成されている。これにより、発光部Ｂからはみ出した額縁部Ｃが形成される。この額縁部Ｃは、有機ＥＬ素子２０の発光に寄与しない非発光部である。
【００２８】
次に、有機ＥＬ素子２２について説明する。有機ＥＬ素子２２は、透明基板４２、透明電極４４、発光層４６、背面電極４８及び封止部材４９により構成されている。透明基板４２は、ガラス又は樹脂からなる透明の基板である。透明電極４４は、透明基板４２上に形成され、例えば、ＩＴＯ（Ｉｎｄｉｕｍ  Ｔｉｎ  Ｏｘｉｄｅ）からなる透明な電極である。発光層４６は、透明電極４４上に形成され、蛍光体を塗布又は混粒したプラスチック（又はセラミック）層である。背面電極４８は、発光層４６上に形成され、例えば、ＩＺＯ（Ｉｎ２Ｏ３−ＺｎＯ）から成る透明電極である。以上のように、発光層４６は、透明電極４４と背面電極４８とに挟まれている。透明電極４４、発光層４６及び背面電極４８は、発光部Ｂ'を構成する。
【００２９】
更に、発光層４６が、空気中の水分により劣化することを防止するために、樹脂からなる封止部材４９は、透明電極４４、発光層４６及び背面電極４８を覆っている。これにより、発光層４６が空気に触れないようにしている。
【００３０】
ここで、透明電極４４、発光層４６及び背面電極４８が封止部材４９により覆われているので、図２（ｂ）に示すように、透明基板４２は、平面視した状態において、発光部Ｂ'（透明電極４４、発光層４６及び背面電極４８）よりも大きく形成されている。これにより、発光部Ｂ'からはみ出した額縁部Ｃ'が形成される。この額縁部Ｃ'は、有機ＥＬ素子２２の発光に寄与しない。
【００３１】
以上のように構成された有機ＥＬ素子２２は、有機ＥＬ素子２０上に重ねて配置されている。そして、透明電極３４と背面電極３８との間に交流電圧が印加されると共に、透明電極４４と背面電極４８との間に交流電圧が印加される。これにより、発光層３６，４６が発光し、発光層３６，４６から上下方向に光が出射する。以下に、発光層３６，４６から出射する光の経路について説明する。
【００３２】
発光層３６から上方向に出射した光ｌ１は、図２（ａ）に示すように、背面電極４８が透明電極であるので、有機ＥＬ素子２２を通過して上方向へと出射する。発光層３６から下方向に出射した光ｌ２は、金属電極である背面電極３８において反射して、有機ＥＬ素子２０，２２を通過して上方向へと出射する。
【００３３】
発光層４６から上方向に出射した光ｌ３は、有機ＥＬ素子２２から上方向へと出射する。発光層４６から下方向に出射した光ｌ４は、背面電極４８が透明電極であるので、有機ＥＬ素子２０に入射し、金属電極である背面電極３８において反射して、有機ＥＬ素子２０，２２を通過して上方向へと出射する。
【００３４】
以上のように、発光層３６，４６が出射した光の内、上方向に出射した光ｌ１，ｌ３は、そのまま上方向に出射し、下方向に出射した光ｌ２，ｌ４は、金属電極である背面電極３８において上方向に反射して、上方向に出射する。これにより、有機ＥＬ素子２０，２２から出射した光が、全て上方向に出射するようになる。その結果、画像読み取り装置１０ａにおいて、より強度の強い光を原稿Ｐに照射することが可能となる。本実施形態では、図２（ｃ）に示すように、点線で示された有機ＥＬ素子２０，２２の光の強度が重ねあわされることにより、実線で示された強度の光が有機ＥＬ素子２０，２２により構成される光源Ｌから出射する。
【００３５】
更に、画像読み取り装置１０ａでは、有機ＥＬ素子２０と有機ＥＬ素子２２とが重ねて配置されている。そのため、下側に配置された有機ＥＬ素子２０が出射した光は、図２（ａ）に示すように、有機ＥＬ素子２２の額縁部Ｃ'を通過するようになる。その結果、複数の有機ＥＬ素子２０，２２が光源Ｌとして用いられた画像読み取り装置１０ａにおいて、発光に寄与しない額縁部Ｃ'からも光が出射するようになる。これにより、画像読み取り装置１０ａにおいて、発光に寄与しない無駄な領域が発生することを抑制できる。なお、光が額縁部Ｃ'を通過するとは、有機ＥＬ素子２０の正面輝度の８０％以上の輝度の光が額縁部Ｃ'から出射していることをいう。
【００３６】
（第２の実施形態）
以下に、本発明の第２の実施形態に係る画像読み取り装置１０ｂについて、図面を参照しながら説明する。図３は、第２の実施形態に係る画像読み取り装置１０ｂの断面構造図である。本実施形態に係る画像読み取り装置１０ｂの構成部において、第１の実施形態に係る画像読み取り装置１０ａの構成部と同じ構成については、同じ参照符号を付した。
【００３７】
画像読み取り装置１０ｂは、図３に示すように、有機ＥＬ素子２０ａ，２０ｂが、ずらされた状態で重ねて配置されている点において、画像読み取り装置１０ａと相違点を有する。以下に、この相違点について図４を参照しながら説明する。図４（ａ）は、有機ＥＬ素子２０ａ，２０ｂの断面構造図であり、図４（ｂ）は、有機ＥＬ素子２０ａ，２０ｂをこれらの主面の法線方向から見た図であり、図４（ｃ）は、有機ＥＬ素子２０ａ，２０ｂが出射する光の強度を示したグラフである。図４（ｃ）において、縦軸は、光の強度を示し、横軸は、有機ＥＬ素子２０ａ，２０ｂの位置を示している。
【００３８】
画像読み取り装置１０ｂに用いられている有機ＥＬ素子２０ａ，２０ｂは、画像読み取り装置１０ａに用いられていた有機ＥＬ素子２０と同じである。従って、有機ＥＬ素子２０ａ，２０ｂの構成については、説明を省略する。なお、本実施形態では、それぞれの有機ＥＬ素子を区別するために、参照符号の後ろにａ又はｂを付している。
【００３９】
額縁部Ｃｂは、平面視した状態において、有機ＥＬ素子２０ａの透明基板３２ａと重なっている。これにより、有機ＥＬ素子２０ａが出射した光は、額縁部Ｃｂを通過するようなる。その結果、複数の有機ＥＬ素子２０ａ，２０ｂが光源Ｌとして用いられた画像読み取り装置１０ｂにおいて、発光に寄与しない額縁部Ｃｂからも光が出射するようになる。これにより、画像読み取り装置１０ｂにおいて、発光に寄与しない無駄な領域が発生することを抑制できる。なお、光が額縁部Ｃｂを通過するとは、有機ＥＬ素子２０ａの正面輝度の８０％以上の輝度の光が額縁部Ｃｂから出射していることをいう。
【００４０】
更に、画像読み取り装置１０ｂでは、図４（ａ）及び図４（ｂ）に示すように、発光部Ｂａ，Ｂｂが近接している。そのため、図４（ｃ）に示すように、有機ＥＬ素子２０ａと有機ＥＬ素子２０ｂとが重なる領域近傍（光源Ｌの中央部近傍）から出射する光の強度は、他の領域から出射する光の強度よりも強くなる。その結果、画像読み取り装置１０ｂにおいて、原稿Ｐに集中して強度の強い光を照射することが可能となる。
【００４１】
（第１の変形例）
以下に、画像読み取り装置１０ｂの第１の変形例に係る画像読み取り装置１０ｃについて図５及び図６を参照しながら説明する。図５は、第１の変形例に係る画像読み取り装置１０ｃの断面構造図である。画像読み取り装置１０ｃの構成部において、画像読み取り装置１０ｂの構成部と同じ構成については、同じ参照符号を付した。
【００４２】
画像読み取り装置１０ｃは、有機ＥＬ素子２０ａ，２０ｂの配置方法において、画像読み取り装置１０ｂと相違点を有する。具体的には、画像読み取り装置１０ｃでは、図５に示すように、有機ＥＬ素子２０ａ，２０ｂは、有機ＥＬ素子２０ａと有機ＥＬ素子２０ｂとのなす角度（透明基板３２ａと透明基板３２ｂとのなす角度）が１８０度より小さくなるように、配置されている。以下に、この相違点について図６を参照しながら説明する。
【００４３】
図６（ａ）は、有機ＥＬ素子２０ａ，２０ｂの断面構造図であり、図６（ｂ）は、有機ＥＬ素子２０ａ，２０ｂをこれらの主面の法線方向から見た図であり、図６（ｃ）は、有機ＥＬ素子２０ａ，２０ｂが出射する光の強度を示したグラフである。図６（ｃ）において、縦軸は、光の強度を示し、横軸は、有機ＥＬ素子２０ａ，２０ｂの位置を示している。
【００４４】
画像読み取り装置１０ｃに用いられている有機ＥＬ素子２０ａ，２０ｂは、画像読み取り装置１０ｂに用いられていた有機ＥＬ素子２０ａ，２０ｂと同じである。
【００４５】
額縁部Ｃｂは、平面視した状態において、有機ＥＬ素子２０ａの透明基板３２ａと重なっている。これにより、有機ＥＬ素子２０ａが出射した光は、額縁部Ｃｂを通過するようなる。その結果、複数の有機ＥＬ素子２０ａ，２０ｂが光源Ｌとして用いられた画像読み取り装置１０ｃにおいて、発光に寄与しない額縁部Ｃｂからも光が出射するようになる。これにより、画像読み取り装置１０ｃにおいて、発光に寄与しない無駄な領域が発生することを抑制できる。なお、光が額縁部Ｃｂを通過するとは、有機ＥＬ素子２０ａの正面輝度の８０％以上の輝度の光が額縁部Ｃｂから出射していることをいう。
【００４６】
更に、画像読み取り装置１０ｃにおいて有機ＥＬ素子２０ａ及び有機ＥＬ素子２０ｂから出射した光は、画像読み取り装置１０ｂにおいて有機ＥＬ素子２０ａ及び有機ＥＬ素子２０ｂから出射した光よりも集光された状態で原稿Ｐに照射するようになる。その結果、画像読み取り装置１０ｃにおいて、原稿Ｐに集中して強度の強い光を照射することが可能となる。以下に説明する。
【００４７】
有機ＥＬ素子２０ａ，２０ｂから出射する光は、上方向に広がるように出射する。そのため、有機ＥＬ素子２０ａ，２０ｂからなる光源Ｌにより、原稿Ｐに光が照射する場合には、原稿Ｐの画像の読み取りに寄与しない光が発生してしまう。そこで、画像読み取り装置１０ｃでは、有機ＥＬ素子２０ａ，２０ｂは、透明基板３２ａと透明基板３２ｂとのなす角度が１８０度より小さくなるように、配置されている。これにより、図６（ｃ）に示すように、有機ＥＬ素子２０ａ，２０ｂからなる光源Ｌから出射した光の広がりが抑制される。その結果、画像読み取り装置１０ｃによれば、原稿Ｐの画像の読み取りに寄与しない光の発生を抑制できる。
【００４８】
更に、有機ＥＬ素子２０ａ，２０ｂが傾けて配置されているので、有機ＥＬ素子２０ａ，２０ｂからなる光源Ｌの中央部に光が集中するようになる。これにより、図４（ｃ）及び図６（ｃ）に示すように、画像読み取り装置１０ｃにおいて、光源Ｌの中央部から出射する光の強度は、画像読み取り装置１０ｂにおいて、光源Ｌの中央部から出射する光の強度よりも強くなる。その結果、画像読み取り装置１０ｃでは、原稿Ｐに集中してより強度の強い光を照射することが可能となる。
【００４９】
（第２の変形例）
以下に、画像読み取り装置１０ｂの第２の変形例に係る画像読み取り装置１０ｄについて図７を参照しながら説明する。図７は、第２の変形例に係る画像読み取り装置１０ｄの断面構造図である。画像読み取り装置１０ｄの構成部において、画像読み取り装置１０ｃの構成部と同じ構成については、同じ参照符号を付した。
【００５０】
画像読み取り装置１０ｄは、有機ＥＬ素子２０ａ，２０ｂが配置された位置において、画像読み取り装置１０ｃと相違点を有する。具体的には、画像読み取り装置１０ｄでは、プラテンガラス１４と等倍レンズ２４との間に有機ＥＬ素子２０ａ，２０ｂが配置されている。以下に、この相違点について図７を参照しながら説明する。
【００５１】
図７に示すように、プラテンガラス１４、有機ＥＬ素子２０ａ，２０ｂ及び等倍レンズ２４は、この順に直線に並ぶように配置されている。更に、画像読み取り装置１０ｄの有機ＥＬ素子２０ａ，２０ｂは、画像読み取り装置１０ｃの有機ＥＬ素子２０ａ，２０ｂと同様に、透明基板３２ａと透明基板３２ｂとのなす角度が１８０度より小さくなるように、配置されている。
【００５２】
前記のように有機ＥＬ素子２０ａ，２０ｂが配置されることにより、有機ＥＬ素子２０ａ，２０ｂから出射した光は、原稿Ｐにおいて反射し、有機ＥＬ素子２０ａ，２０ｂの額縁部Ｃａ，Ｃｂ（図７では不図示）を通過するようになる。更に、額縁部Ｃａ，Ｃｂを通過した光は、等倍レンズ２４を通過して、受光素子２６に入射するようになる。
【００５３】
画像読み取り装置１０ｄによれば、プラテンガラス１４、有機ＥＬ素子２０ａ，２０ｂ及び等倍レンズ２４が、直線に並ぶように配置されることにより、スライダー１６をコンパクト化できる。その結果、画像読み取り装置１０ｄをコンパクト化できる。
【００５４】
（その他の実施形態）
なお、本発明に係る画像読み取り装置１０ａ〜１０ｄは、前記実施形態に限定するものではなく、その要旨の範囲内で種々に変更することができる。
【００５５】
画像読み取り装置１０ａ〜１０ｄでは、有機ＥＬ素子は、２個だけ用いられているが、有機ＥＬ素子の数は、複数個あればよく２個に限らない。図８（ａ）は、複数の有機ＥＬ素子２０からなる光源Ｌの上視図であり、図８（ｂ）は、光源Ｌの側面図である。図８（ｂ）では、説明の簡素化のため、各有機ＥＬ素子２０を直線で示してある。
【００５６】
図８に示すように、各有機ＥＬ素子２０は、隣に配置された有機ＥＬ素子２０と一部が重なるように連ねて配置されている。更に、図８（ｂ）に示すように、両端に位置する有機ＥＬ素子２０は、他の有機ＥＬ素子２０に対して起き上がった状態で配置されている。この両端に位置する有機ＥＬ素子２０の起き上がり角度を調整することにより、光源Ｌの中央部に集光される光の強度を調整できる。この調整により、受光素子の受光面上での照度分布を均一にでき、受光素子から出力される電気信号の精度を向上させることができる。その結果、電気信号をデジタル信号に変換及び補正した際に生じる量子化誤差の発生を抑制できる。
【００５７】
なお、画像読み取り装置１０ａ〜１０ｄは、コンタクトイメージセンサ方式の画像読み取り装置であるとしたが、画像読み取り方式はこれに限らない。画像読み取り方式としては、例えば、ミラースキャン方式やユニットスキャン方式が挙げられる。ミラースキャン方式の画像読み取り装置は、一般的によく知られたものであるので説明を省略する。以下に、ユニットスキャン方式の画像読み取り装置について図９を参照しながら説明する。図９は、ユニットスキャン方式の画像読み取り装置１０ｅの断面構造図である。
【００５８】
コンタクトイメージセンサ方式の画像読み取り装置１０ａ〜１０ｄでは、光源Ｌから出射した光は、ミラーにより反射することなく、受光素子２６に入射していた。これに対して、ユニットスキャン方式の画像読み取り装置１０ｅでは、有機ＥＬ素子２０，２２からなる光源Ｌから出射した光は、ミラー２１ａ〜２１ｅにより反射して、縮小レンズ２３に入射する。そして、縮小レンズ２３は、入射した光を集光して、受光素子２６の受光面に結像させている。画像読み取り装置１０ｅにおいて、ミラー２１ａ〜２１ｅが設けられる理由について以下に説明する。
【００５９】
ユニットスキャン方式の画像読み取り装置１０ｅにおいて、縮小レンズ２３は、原稿Ｐの画像を縮小して、受光素子２６に結像させている。このように、原稿Ｐの画像を縮小するためには、図９に示す有機ＥＬ素子２０，２２と縮小レンズ２３との距離は、図１に示す有機ＥＬ素子２０，２２と等倍レンズ２４との距離よりも長くなる必要がある。そこで、画像読み取り装置１０ｅでは、光の経路をミラー２１ａ〜２１ｅにより折り曲げることにより、有機ＥＬ素子２０，２２と縮小レンズ２３との距離を確保している。
【００６０】
なお、画像読み取り装置１０ａ〜１０ｅでは、光源Ｌとして有機ＥＬ素子が用いられるものとしたが、例えば、無機ＥＬ素子が光源Ｌとして用いられてもよい。
【００６１】
また、画像読み取り装置１０ａ〜１０ｅでは、同じサイズの有機ＥＬ素子が用いられているが、異なるサイズの有機ＥＬ素子が用いられてもよい。
【図面の簡単な説明】
【００６２】
【図１】第１の実施形態に係る画像読み取り装置の断面構造図である。
【図２】図２（ａ）は、有機ＥＬ素子の断面構造図であり、図２（ｂ）は、有機ＥＬ素子をこれらの主面の法線方向から見た（以下、平面視と称す）図であり、図２（ｃ）は、有機ＥＬ素子が出射する光の強度を示したグラフである。
【図３】図３は、第２の実施形態に係る画像読み取り装置の断面構造図である。
【図４】図４（ａ）は、有機ＥＬ素子の断面構造図であり、図４（ｂ）は、有機ＥＬ素子をこれらの主面の法線方向から見た図であり、図４（ｃ）は、有機ＥＬ素子が出射する光の強度を示したグラフである。
【図５】第１の変形例に係る画像読み取り装置の断面構造図である。
【図６】図６（ａ）は、有機ＥＬ素子の断面構造図であり、図６（ｂ）は、有機ＥＬ素子をこれらの主面の法線方向から見た図であり、図６（ｃ）は、有機ＥＬ素子が出射する光の強度を示したグラフである。
【図７】第２の変形例に係る画像読み取り装置の断面構造図である。
【図８】図８（ａ）は、複数の有機ＥＬ素子からなる光源の上視図であり、図８（ｂ）は、光源の側面図である。
【図９】ユニットスキャン方式の画像読み取り装置の断面構造図である。
【図１０】図１０（ａ）は、有機ＥＬ素子の断面構造図であり、図１０（ｂ）は、複数並置された有機ＥＬ素子の断面構造図である。
【符号の説明】
【００６３】
Ｂ，Ｂ'，Ｂａ，Ｂｂ  発光部
Ｃ，Ｃ'，Ｃａ，Ｃｂ  額縁部
Ｐ  原稿
１０ａ，１０ｂ，１０ｃ，１０ｄ，１０ｅ  画像読み取り装置
２０，２０ａ，２０ｂ，２２  有機ＥＬ素子
２６  受光素子
３２，３２ａ，３２ｂ，４２  透明基板
３４，４４  透明電極
３６，４６  発光層
３８，４８  背面電極
３９，３９ａ，３９ｂ，４９  封止部材
【図１】
2009094960.tif 000003
【図２】
2009094960.tif 000004
【図３】
2009094960.tif 000005
【図４】
2009094960.tif 000006
【図５】
2009094960.tif 000007
【図６】
2009094960.tif 000008
【図７】
2009094960.tif 000009
【図８】
2009094960.tif 000010
【図９】
2009094960.tif 000011
【図１０】
2009094960.tif 000012